【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目の量に応じて、前記第１の投光手段による投光を行うか否かを制御する制御手段と、を備えることを特徴とする撮像装置。
【請求項２】
入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目の量に応じて、前記投光手段による第２の投光を継続するか否かを制御手段と、を備えることを特徴とする撮像装置。
【請求項３】
入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目の量に応じて、前記投光手段による第２の投光の明るさを変化させる制御手段と、を備えることを特徴とする撮像装置。
【請求項４】
入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目領域の画像を拡大表示する表示手段と、を備えることを特徴とする撮像装置。
【請求項５】
前記処理判定手段は、赤目の量が第１のレベルを越え、前記画像取得手段より画像信号を得た回数が所定回数以下である場合には、撮影のための操作を無効にすることを特徴とする請求項１から３に記載の撮像装置。
【請求項６】
前記制御手段は、赤目の量が第１のレベルを越え、前記画像取得手段より画像信号を得た回数が所定回数以下であることを、赤目緩和の為の投光を継続するための条件とすることを特徴とする請求項２に記載の撮像装置。
【請求項７】
前記制御手段は、赤目の量が前記第１のレベルより小さい第２のレベルを越え、前記画像取得手段より画像信号を得た回数が所定回数以下であり、撮影のための操作が無い場合を、赤目緩和の為の投光を継続する為の条件とすることを特徴とする請求項６に記載の撮像装置。
【請求項８】
前記制御手段は、前記画像取得手段より画像信号を得た回数が所定回数になった場合、或いは、赤目の量が前記第２のレベルを越えていて、撮影のための操作があった場合、に赤目の補正を行うものとして判定し、前記第１の投光手段による投光を伴う撮像への移行を許可することを特徴とする請求項７に記載の撮像装置。
【請求項９】
前記処理判定手段は、赤目の量が前記第２のレベル以下になった場合、赤目の補正無しとして前記第１の投光手段による投光を伴う撮像への移行を許可することを特徴とする請求項８に記載の撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００７
【補正方法】変更
【補正の内容】
【０００７】
上記課題を解決し目的を達成する為に本発明の撮像装置は、入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目の量に応じて、前記第１の投光手段による投光を行うか否かを制御する制御手段と、を備えることを特徴とする。
上記課題を解決し目的を達成する為に本発明の撮像装置は、入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目の量に応じて、前記投光手段による第２の投光を継続するか否かを制御手段と、を備えることを特徴とする。
上記課題を解決し目的を達成する為に本発明の撮像装置は、入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目の量に応じて、前記投光手段による第２の投光の明るさを変化させる制御手段と、を備えることを特徴とする。
上記課題を解決し目的を達成する為に本発明の撮像装置は、入射される光に応じて画像信号を出力する撮像手段と、前記撮像手段から画像信号を取得する画像取得手段と、第１の投光手段と、前記第１の投光手段による投光が行われるよりも前に行われ、投光することにより瞳孔を絞り赤目を緩和する第２の投光手段と、撮影動作にともなって前記第１の投光手段により第１の投光動作をし、これによって撮像手段からえられた画像信号を記録する記録手段と、前記撮影動作前に、前記投光手段により赤目緩和のための前記第２の投光手段により投光動作を行うと共に、該投光動作に伴い前記撮像手段により得られた画像信号から赤目の量を検出する検出手段と、前記検出手段によって検出された赤目領域の画像を拡大表示する表示手段と、を備えることを特徴とする。
【手続補正４】
【補正対象書類名】明細書
【補正対象項目名】０１２４
【補正方法】変更
【補正の内容】
【０１２４】
この画像表示ステップＳ５１０の詳細は図１３を用いて後述する。画像表示ステップＳ５１０を行ったら赤目の大きさ（量）が第１の所定の大きさより小さくなっているか、画像表示メモリ２４の信号をもとに赤目検出器２５にて判定する（ステップＳ５１１）。
【手続補正５】
【補正対象書類名】明細書
【補正対象項目名】０１２６
【補正方法】変更
【補正の内容】
【０１２６】
ここで赤目の大きさ（量）が第１の判定の大きさより大きい場合は、画像取り込みステップＳ５０９を所定回数行ったか判定する。赤目の緩和効果は、一般的に約１．２秒程度の時間があれば効果があるとされているので、ステップＳ５０８で設定されている時間を０．２秒程度として、この所定回数は１０回程度であり、時間としては２秒以内とする（ステップＳ５１４）。
【手続補正６】
【補正対象書類名】明細書
【補正対象項目名】０１２７
【補正方法】変更
【補正の内容】
【０１２７】
画像取り込み回数が所定回数となっていなかったらタイマー開始ステップＳ５０７に戻り、赤目の大きさ（量）が第１の所定の大きさより小さくなるまで前述のシーケンスを繰り返す。また画像取り込み回数が所定の回数となっていたら、赤目の画像補正を行うことを意味する、表示２を表示する（ステップＳ５１６）。この表示は、図１２に示す瞳マークを画像表示２８内に表示するもので、表示２（ステップＳ５１６）では、瞳マークを赤目画像補正有りとして黄色にして表示して、補正フラグ（ステップＳ５１７）を立て赤目シーケンスを終了する。
【手続補正７】
【補正対象書類名】明細書
【補正対象項目名】０１４０
【補正方法】変更
【補正の内容】
【０１４０】
一連の処理を終えたならば、撮影処理ルーチンステップＳ１３２を終了する。
【手続補正８】
【補正対象書類名】明細書
【補正対象項目名】０１４４
【補正方法】変更
【補正の内容】
【０１４４】
記録媒体への書き込みが終ったならば、記録処理ルーチンステップＳ１３７を終了する。
【手続補正９】
【補正対象書類名】明細書
【補正対象項目名】０１４８
【補正方法】変更
【補正の内容】
【０１４８】
（動作フローについて）
前画像表示メモリ２７を用いる場合には、赤目検出手段を用いる場合にて説明した図３のステップＳ１２３の赤目処理の詳細なフローチャート図７とシーケンスが異なる。前画像表示メモリ２７を用いる場合の図３のステップＳ１２３の赤目処理の詳細なフローチャートを図８に示す。
【手続補正１０】
【補正対象書類名】明細書
【補正対象項目名】０１５０
【補正方法】変更
【補正の内容】
【０１５０】
所定輝度以下だったら、投光装置４９による投光を開始する。（ステップＳ６０３）そして投光開始後画像取り込みを行い撮像素子１２、Ａ／Ｄ変換器１６、画像処理回路２０、メモリ制御回路２２を介して、画像表示メモリ２４に書き込む。（ステップＳ６０４）そしてフリーズした画像表示を行う。（ステップＳ６０５）そして、画像表示メモリ２４に記録した信号を前画像表示メモリ２７にコピーする。（ステップＳ６０６）そして所定時間の計時を開始する（ステップＳ６０７）。
【手続補正１１】
【補正対象書類名】明細書
【補正対象項目名】０１５１
【補正方法】変更
【補正の内容】
【０１５１】
所定時間が経過したか否かを判定し（ステップＳ６０８）所定時間が経過したら、再び画像取り込みを行うとともに画像表示メモリ２４に書き込む。（ステップＳ６０９）そして、画像表示メモリ２４の画像信号と前画像表示メモリ２７の画像信号を比較して赤目の発生の有り無しを判定する。（ステップＳ６１０）この画像信号の比較は、赤目緩和投光の開始直後の最も瞳孔径の大きい状態である前画像表示メモリ２７に記憶している画像信号と、赤目緩和投光を開始して所定時間経過してからの画像表示メモリ２４の画像信号を比較するものである。
【手続補正１２】
【補正対象書類名】明細書
【補正対象項目名】０１５２
【補正方法】変更
【補正の内容】
【０１５２】
赤目緩和投光を開始して所定時間経過してからの瞳孔径は赤目緩和投光により赤目緩和投光の開始直後の瞳孔径より縮小する。即ち、画像表示メモリ２４の画像信号と前画像表示メモリ２７の画像信号では、瞳孔径に差が生じているため画像信号に差が生じる。よって、その差が生じている画素が赤目の発生している部分と特定が出来る。
【手続補正１３】
【補正対象書類名】明細書
【補正対象項目名】０１５５
【補正方法】変更
【補正の内容】
【０１５５】
以上赤目検出ステップＳ６１０で行った検出結果をもとに、赤目が検出されなかったら赤目シーケンスを終了して図３ステップＳ１２４に進む。また赤目が検出されたら、画像表示メモリ２４に記録した信号を前画像表示メモリ２７に書き換えを行う（ステップＳ６１１）。そして画像取り込みステップＳ６０９で取り込み前画像メモリ２７に記憶している画像信号をもとに所定の画像表示を行う（ステップＳ６１２）。そして再度所定時間の計時を開始する（ステップＳ６１３）。所定時間が経過したか否かを判定し（ステップＳ６１４）、所定時間が経過したら、再び画像取り込みを行う。画像表示メモリ２４に書き込む（ステップＳ６１５）。そして赤目が第１の所定の大きさより縮小したか否かの判定を行う。
【手続補正１４】
【補正対象書類名】明細書
【補正対象項目名】０１５９
【補正方法】変更
【補正の内容】
【０１５９】
また、赤目が第１の所定の大きさより大きい場合は、所定の回数画像取り込みを行ったかの判定を行う（ステップＳ６１９）。赤目の緩和効果は、一般的に約１．２秒程度の時間があれば効果があるとされているので、ステップＳ５０８で設定されている時間を０．２秒程度として、この所定回数は１０回程度であり、時間としては２秒以内とする。この画像取り込みの所定回数判定で所定回数取り込んでいなかったらステップＳ６１１で画像表示メモリ２４に記録した信号を前画像表示メモリ２７に転送して、赤目の大きさ（量）が第１の所定の大きさより小さくなるまで前述のシーケンスを繰り返す。そして画像取り込みを所定回数終了したら、赤目の画像補正を行うことを意味する。表示２を表示する。（ステップＳ６１２）この表示は、図１２に示す瞳マークを画像表示２８内に表示するもので、表示２（ステップＳ６２１）では、瞳マークを赤目画像補正有りとして黄色にして表示して、補正フラグ（ステップＳ６２２）を立て赤目シーケンスを終了する。
【手続補正１５】
【補正対象書類名】明細書
【補正対象項目名】０１７６
【補正方法】変更
【補正の内容】
【０１７６】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２５  赤目検出
２６  Ｄ／Ａ変換器
２７ 前画像表示メモリ
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ